(57)【要約】【課題】  本発明は、本発明は、鉄道や道路、あるいは、工場の機械、又は事務所内などから発生する騒音を低下させるために設置する通気性を有する防音パネルに関し、簡単な構造で、用途に応じて対応が可能な通気型の防音パネルを提供することを課題とする。【解決手段】  箱状とされたパネル体の表側パネルと裏側パネルのそれぞれに設けられた複数個の通気孔に消音部を備えた通気型防音パネルにおいて、表側パネルの通気孔と裏側パネルの通気孔は、一方側の通気孔から他方側の通気孔が一直線に見通せる状態と、一方側の通気孔から他方側の通気孔が一直線に見通せない変位した状態が選択可能とされているものである。【選択図】      図６
2015209704.tif 000002
【特許請求の範囲】
【請求項１】
箱状とされたパネル体の表側パネルと裏側パネルのそれぞれに設けられた複数個の通気孔に消音部を備えた通気型防音パネルにおいて、表側パネルの通気孔と裏側パネルの通気孔は、一方側の通気孔から他方側の通気孔が一直線に見通せる状態と、一方側の通気孔から他方側の通気孔が一直線に見通せない変位した状態が選択可能とされていることを特徴とする通気型防音パネル。
【請求項２】
表側パネルの通気孔と裏側パネルの通気孔は、同数、同一仕様に形成され、一方側の通気孔から他方側が一直線に見通せる状態から、表側パネルと裏側パネルのいずれか一方を、通気孔の貫通方向を軸方向として１８０度回転させることによって、一方側の通気孔から他方側の通気孔が一直線に見通せない変位した状態とすることができることを特徴とする請求項１に記載の通気型防音パネル。
【請求項３】
表側パネルと裏側パネルの通気孔間が、空気浄化部材で仕切られていることを特徴とする請求項１又は請求項２に記載の通気型防音パネル。
【発明の詳細な説明】
【技術分野】
【０００１】
本発明は、鉄道や道路、あるいは、工場の機械、又は事務所内などから発生する騒音を低下させるために設置する通気性を有する防音パネルに関するものである。
【背景技術】
【０００２】
従来、箱型板状のパネルに、パネル表裏方向に貫通する長管孔を複数設けて通気孔とし、該長管孔の開口端の周縁部を外側に向けて漸次拡大させ消音部とした通気型防音パネルがあった。
【０００３】
しかしながら、このような通気型防音パネルの場合、通気孔が、パネル表裏方向に一直線に貫通しているので通気性に優れているが、通気孔からパネルの一方側から他方側が見えるので、例えば電話ボックスの壁材や、商談コーナーの間仕切りパネルといった、ある程度の閉塞性が必要な場所で使用するには好ましいものではなかった（例えば特許文献１）。
さらに、このようなパネルの場合、通気孔から光が通過するため、ある程度の暗さが必要な仮眠室などで使用するには好ましいものではなかった。
【０００４】
また、箱型板状のパネルの一方側面に貫通孔を設けて、他方側面を通気性の無い投光体で閉塞した、防音性と閉塞性を有した防音パネルがあるが、通気性がないので、このような防音パネルを電話ボックスなどのように囲まれた空間で使用すると、新たに電話ボックスないに空調機器が必要となり、全体としてコストの増加を招くので使用できなかった（例えば特許文献２）。
【先行技術文献】
【特許文献】
【０００５】
【特許文献１】特開昭６３−１５３５９２公報
【特許文献２】特開２００７−１００３９４公報
【発明の概要】
【発明が解決しようとする課題】
【０００６】
本発明は、従来の問題点に鑑みて、簡単な構造で、用途に応じて対応が可能な通気型の防音パネルを提供することを課題とする。
【課題を解決するための手段】
【０００７】
上記課題を解決する為、本発明が第１の手段として構成したところは、箱状とされたパネル体の表側パネルと裏側パネルのそれぞれに設けられた複数個の通気孔に消音部を備えた通気型防音パネルにおいて、表側パネルの通気孔と裏側パネルの通気孔は、一方側の通気孔から他方側の通気孔が一直線に見通せる状態と、一方側の通気孔から他方側の通気孔が一直線に見通せない変位した状態が選択可能とされているものである。
【０００８】
次に、上記課題を解決する為、本発明が第２の手段として構成したところは、上記第１の手段に加え、表側パネルの通気孔と裏側パネルの通気孔は、同数、同一仕様に形成され、一方側の通気孔から他方側が一直線に見通せる状態から、表側パネルと裏側パネルのいずれか一方を、通気孔の貫通方向を軸方向として１８０度回転させることによって、一方側の通気孔から他方側の通気孔が一直線に見通せない変位した状態とすることができるものである。
【０００９】
次に、上記課題を解決する為、本発明が第３の手段として構成したところは、上記第１の手段、あるいは、上記第２の手段に加え、表側パネルと裏側パネルの通気孔間が、空気浄化部材で仕切られているものである。
【発明の効果】
【００１０】
本発明が第１の手段として構成したところによると、表側パネルの通気孔と裏側パネルの通気孔は、一方側の通気孔から他方側の通気孔が一直線に見通せる状態と、一方側の通気孔から他方側の通気孔が一直線に見通せない変位した状態とが選択可能とされているので、通気性が必要で、かつ、ある程度の透過性が要求される箇所（空調環境に影響を与えないよう、間仕切りパネル下部、あるいは、上部の仕切り板）での使用や、あるいは、通気性が必要で、透過性が要求されない箇所（電話ボックス、商談コーナー等）での使用等、表側パネルと裏側パネルを、使用箇所、用途に応じて適宜組替えて使用することができるので、対応性に優れている。
更に、本発明の通気性防音パネルを、複数枚の表側パネルと複数枚の裏側パネルから構成することにより、一部が透過性を有し（通気孔が一直線に見通せる状態として使用）、一部をそうでない状態（通気孔が一直線に見通せない状態として使用）で使用することで、内部、あるいは、向こう側に人がいるかどうか確認することができ、通路のコーナー部分、電話ボックス、商談コーナー等での使用など、通気性と閉塞性が必要な部分、あるいは、通気性と透過性が必要な部分を一枚の通気性防音パネルに組み込むことも可能となり、更に使用箇所、用途などに応じて、広範囲で対応することができる。
【００１１】
本発明が第２の手段として構成したところによると、表側パネルの通気孔と裏側パネルの通気孔は同数、同一仕様に形成され、一方側の通気孔から他方側が一直線に見通せる状態から、表側パネルと裏側パネルのいずれか一方を、通気孔の貫通方向を軸方向として１８０度回転させることによって、一方側の通気孔から他方側の通気孔が見通せない変位した状態とすることができるので、表側パネルと裏側パネルを区別して生産する必要が無く、一種類のパネルとして生産できるので、量産性に優れ、安価に製作でき、在庫管理も容易となるだけでなく、パネルの取り付け方向の変更作業も容易であり、通気性防音パネルの用途の変更に手軽に対応することができる。
【００１２】
本発明が第３の手段として構成したところによると、表側パネルと裏側パネルの通気孔間を、空気浄化部材で仕切られるものであるから、建物の室内と屋外と隔てる壁面に本通気型防音パネルを設置することも可能であり、様々な用途に対応することが可能である。
さらに、適宜な空気浄化部材を選択（向こう側に人等の気配が感じられる程度の透光性を有する材料を使用した空気浄化部材）することにより、透光性と通気性と空気浄化性を組み合わせることが可能となり、様々な用途に対応することが可能である。
【図面の簡単な説明】
【００１３】
【図１】本発明の正面図
【図２】本発明の側面図
【図３】本発明の平面図
【図４】図１のＡ−Ａ線要部断面図
【図５】図３のＢ−Ｂ線要部断面図
【図６】下側の表側パネルを１８０度回転して取付けた状態の本発明の正面図
【図７】消音部の要部断面図
【図８】図６のＣ―Ｃ線要部断面図
【図９】他の実施例を示す要部横断面図
【発明を実施するための最良の形態】
【００１４】
箱状とされたパネル体の表側パネルと裏側パネルのそれぞれに設けられた複数個の通気孔に消音部を備えた通気型防音パネルにおいて、表側パネルの通気孔と裏側パネルの通気孔は、一方側の通気孔から他方側の通気孔が一直線に見通せる状態と、一方側の通気孔から他方側の通気孔が一直線に見通せない変位した状態が選択可能とされ、表側パネルの通気孔と裏側パネルの通気孔は同数、同一仕様に形成され、一方側の通気孔から他方側が一直線に見通せる状態から、表側パネルと裏側パネルのいずれか一方を、通気孔の貫通方向を軸方向として１８０度回転させることによって、一方側の通気孔から他方側の通気孔が一直線に見通せない変位した状態とすることができるものである。
【実施例】
【００１５】
以下、第１実施例を添付図面に基づいて詳述する。
図１、図２において、符号１００は、本発明の通気型防音パネルを示している。
通気型防音パネル１００は、左右縦枠２、２と、左右の縦枠２、２の上下方向の中間部に配設された横枠３からなる略Ｈ形の基枠２０と、基枠２０の表側に配設された上下２枚の表側パネル５、５と、基枠２０の裏側に配設された上下２枚の裏側パネル６、６より構成されている。
【００１６】
左右の縦枠２、２は対向した同形に形成されているので、一方側（図１において左側）を図３、図４に基づいて説明する。
縦枠２は、表側パネル５と裏側パネル６を保持するための保持基板２１と、保持基板２１の前後(表裏)側端部を外側方向に折り曲げた当接用基板２２、２２より横断面略コ字形に形成されている。
【００１７】
そして、保持基板２１には、表側パネル連結ネジ５００・・・が貫通する上下に複数個の逃がし孔２１１・・・と、逃がし孔２１１・・・の後方に所定間隔を有して裏側パネル連結ネジ６００・・・が連結される裏側パネル連結孔２１２・・・が形成され、逃がし孔２１１・・・と、裏側パネル連結孔２１２・・・に対応する位置に連結用ナット２１３・・・・が設けられた連結用補助板４が、保持基板２１の内面側に配設されている。
横枠３は上部が開口する縦断面上向きコ字形に形成され、適宜手段にて左右の縦枠２、２間に配設されている。
【００１８】
表側パネル５は、基枠２０に連結可能なように略正方形板体の基板５０の四隅を所定形状に切り欠いた後、左右上下側端部をそれぞれ内側方向に折り曲げて、左右当接用突部５１、５１と、上下当接用突部５２、５２を形成し、更に、左右当接用突部５１、５１の内側端部を内側方向に突出させた連結用突片５３、５３と、上下当接用突部５２、５２の内側端部を内側方向に突出させた突合せ突片５４、５４を有し、連結用突片５３、５３には前記連結用ナット２１３・・・・に対応して連結孔５３１・・・が形成されている。
【００１９】
そして、基板５０には複数個の透し孔５０１・・・が設けられ、透し孔５０１・・・には消音部８・・・が設けられている。
本発明の場合、透し孔５０１に別部材の長管部分を嵌入しているので、正確には長管部分が通気孔として作用するが、消音部分８の構成によっては透し孔５０１が直接通気孔として作用することもある。いずれにしても、基板５０に透し孔５０１を形成しない限り通気孔として作用するものを構成することができないので、実施例の説明として、以下、透し孔５０１を通気孔７とし、通気孔７と一体、別体を問わず消音機能を有する箇所を消音部８として説明する。
【００２０】
すなわち、基板５０には複数個の通気孔７・・・が形成され、通気孔７・・・には、消音部８が設けられている。
通気孔７・・・は、右側端部の一列目は上下方向に、通気孔７の直径の１.５倍の間隔を有して１０個形成され、２列目は、近接する上下２つの通気孔７、７の中心を２つの頂点とし、正三角形を作るもう一つの頂点を中心として通気孔７が上下方向に９個形成され、同様にして、左右方向に１列目と同じものが６列、２列目とおなじものが５列形成されている。
【００２１】
そして、基板５０の上下端部から上下端部の通気孔７、７までの寸法は同一に形成され、基板５０の左右短部から左右端部の通気孔７、７までの寸法は異なって形成されている。
すなわち、左側の寸法を右側の寸法の約１.８倍とし、通気孔の７の貫通方向を回転軸として１８０度回転した時に、通気孔７・・・が、回転前の左右の通気孔７・・・間に位置するよう構成されている。
【００２２】
裏側パネル６は、表側パネル５と同様、基板６０、左右当接用突部６１、６１、上下当接用突部６２、６２、連結用突片６３、６３、突合せ突片６４、６４、連結孔６３１・・・を有し、基板６０には透し孔通気孔７（透し孔）・・・が形成され、通気孔の７の貫通方向を回転軸として１８０度回転した状態の表側パネル５と同一に形成されている。
すなわち、裏側パネル６と表側パネル５は同一形状であり、製作時は同じものとして生産され、使用時に、通気孔の７の貫通方向を回転軸として１８０度回転させることで、裏側パネル６として使用される。
【００２３】
消音部８は、合成樹脂材にて一体に形成された消音部材８０を、通気孔７に連結して消音部を構成している。
消音部材８０は、通気孔７に嵌合する円筒形の嵌合部８１と、嵌合部８１より小径で、通気孔７より表側パネル５、あるいは、裏側パネル６内外に突出する円筒形の長管部８２と、基板５０、６０の外面に当接する円盤形の鍔部８３と、鍔部８３と長管部８２の外側に連設された外方に向かって開くラッパ状の第１消音部８４と、第１消音部８４の内側に形成された第２消音部８５より形成され、通気孔７の基板端面部を鍔部８３と弾性材からなるチューブ状の保持管８６で、通気孔７の基板端面部を挟持するように通気孔７に取り付けられる。
【００２４】
本発明の本発明の通気型防音パネル１００は上記の如く構成されている。そして、図１に示す、表側パネル５の通気孔７から、裏側パネル６の通気孔７が一直線に見通せない状態から図７のように、下側の表側パネル５の通気孔７から裏側パネル６の通気孔７が一直線に見通る状態にするには、縦枠２、２の表側パネル連結ネジ５００・・・を外し、基枠２０から下側の表側パネル５を取外し、通気孔７の貫通方向を軸方向として１８０度回転させた状態で、連結用突片５３、５３を縦枠２、２の保持基板２１、２１と連結用補助板４間に差込み、左右当接用突部５１、５１の内側端面を当接用基板２２、２２に当接させると共に、突合せ突片５４、５４を裏側パネル６の突合せ突片６４、６４に付き合わせた状態とし、表側パネル連結ネジ５００・・・にて、連結用補助板４に連結する。
この状態で、下側の表側パネル５の通気孔７・・・と、下側の裏側パネル６の通気孔７・・・は一直線に見通せる状態となる。
【００２５】
本実施例においては、一方側のパネルを１８０度回転させて通気孔が一直線に見通せる状態と通気孔が一直線に見通せない状態を選択できるようにしているが、本実施例以外にもパネルを上下あるいは左右にスライドさせることにより、通気孔が一直線に見通せる状態と通気孔が一直線に見通せない状態を選択できるようにしてもよい。この場合、スライドさせた表側パネルと裏側パネルの端部が一致しない状態（一方側の端部が他方側の端部よりスライド移動分突出した状態）が発生するので、常に端部が一致する本実施例の方が、使い勝手がよい。
スライドさせる場合には、スライド移動させるパネルの外形寸法を、固定状態のパネルよりスライド移動量分小さく設定すると、固定状態のパネルの範囲内でスライド移動できるので、一方側の端部が、他方側の端部よりスライド移動分突出した状態にならないようにすることができる。
【００２６】
図９に示す第２実施例では、表側パネル５と裏側パネル６間（互いの通気孔７・・・間）に、空気浄化部材９を配設することにより、通気型防音パネルによって空気の浄化も可能となる。
【００２７】
空気浄化部材９は、通気型防音パネルを挟んで一方側の空気が他方側に移動するとき、空気とともに移動するものを、他方側に持ち込まないようにするものである。
したがって、空気浄化部材は、防塵フィルターや活性炭フィルターなどのように空気中のチリ、埃や臭気を取り除くものや、網やハニカムなどのように比較的大きな物の通過を抑えるもののように、用途に応じて様々なものが用いられる。
【００２８】
空気浄化部材９を配設することによって、様々な用途に対応することができる。
例えば、空気浄化部材に不織布を使い通気性を持たせながら空気中の埃、チリなどを除去し、同時に光も遮断する時は、表側パネル５と裏側パネル６を通気孔が一直線に見通せない状態とすればよい。
光を通したい場合は、空気浄化部材９に向こう側に人等の気配が感じられる程度の透光性を有する材料を使用し、表側パネル５と裏側パネル６を通気孔が一直線に見通せる状態とすればよい。
したがって、空気浄化部材を配設することによって建物の室内と屋外と隔てる壁面に本通気型防音パネルを設置することも可能であるから、換気口や窓に設置することができる。
また、湿気が透過しやすい空気浄化部材を選択すれば、湿気が篭りやすい玄関やお風呂場の扉や窓に設置するのに適したものとなる。
このように、透光性と通気性と空気浄化性を組み合わせることが可能であるため、様々な用途に対応することが可能である。
【００２９】
空気浄化部材は、第２実施例に示されるシート状のものでなくても、通気孔に内包する円柱状のものでもよいが、空気浄化部材は、汚れなどにより交換することがあるので、交換の手間を考えるとシート状の方が使い勝手が良い。
【符号の説明】
【００３０】
１００        本発明の通気型防音パネル
２、２        左右縦枠    
２０          基枠
５            表側パネル
６            裏側パネル
７（５０１）  通気孔
８            消音部
【図１】
2015209704.tif 000003
【図２】
2015209704.tif 000004
【図３】
2015209704.tif 000005
【図４】
2015209704.tif 000006
【図５】
2015209704.tif 000007
【図６】
2015209704.tif 000008
【図７】
2015209704.tif 000009
【図８】
2015209704.tif 000010
【図９】
2015209704.tif 000011